(57)【要約】【課題】使用者がいったん受信不安定状態の場所に移ったのち、再度受信安定状態の場所に戻ったときに、受信不安定状態の場所に移る前の挙動に復帰し、使用者に通知することを可能とする。【解決手段】デジタル信号を受信し、そのデジタル信号の受信状態が安定したものであるかを検証し、安定状態から不安定状態に遷移したときに、安定状態で受信しているときの受信機実行状況を保持しておく。デジタル信号の受信状態が不安定状態から安定状態に遷移したときに、使用者に対して通知する。それと同時に、保持した安定状態で受信しているときの受信機実行状況を読み出し、デジタル信号受信を元の実行状況に復帰させる。【選択図】図３
2005151216.tif 000002
【特許請求の範囲】
【請求項１】
デジタル信号を受信する受信部と、
前記受信部が受信した信号が安定したものであるか否かを検証する信号検出部と、
前記信号検出部にて信号の安定度を検出した結果を保持する受信状態管理部と、
前記受信状態管理部に保持された信号の安定度が不安定状態、かつ、前記信号検出部が、信号が安定状態になったと判断したときに、使用者にその旨を通知する再受信通知部と
を具備したデジタル信号受信機。
【請求項２】
デジタル信号の安定状態における少なくとも最新の挙動状況を保存する状態保存部と、
前記再受信通知部よりデジタル信号が安定状態になったとの通知を受け、前記状態保存部より、信号の安定度が不安定状態と判定した前の安定状態における挙動状況を呼び出して、その状況に復帰させる状況復帰実行部と
を更に具備した、請求項１に記載のデジタル信号受信機。
【請求項３】
前記信号検出部にて、一度信号の安定度が不安定と判定した後に、再び安定状態になったことを通知するように設定する操作部と、
前記操作部にて設定された設定内容を保持する通知要否フラグと、
を更に具備し、
デジタル信号が不安定状態より安定状態に復帰したことを通知要否フラグに応じて通知することを特徴とする請求項1または請求項２に記載のデジタル信号受信機。
【請求項４】
デジタル信号が不安定状態になったのち所定の時間が経過したときに、前記デジタル信号受信機の電源供給を止め、別の所定の時間間隔で電源供給を開始し、
デジタル信号が安定状態に戻ったときには、前記デジタル信号受信機の電源供給を開始させ、デジタル信号が不安定状態のままであるときには、再度前記デジタル信号受信機の電源供給を止める電源制御部
を更に具備し、
デジタル信号の受信状態に応じ電源供給を切り替えることを特徴とする請求項１から請求項３のいずれかに記載のデジタル信号受信機。
【請求項５】
前記電源制御部は、前記状況復帰実行部により、信号の安定度が不安定状態と判定した前の安定状態における挙動状況を呼び出したが、目的とする挙動状態に戻すことができなかったとき、前記デジタル信号受信機の電源供給を止める処理を備え、
デジタル信号が不安定状態より安定状態に復帰したときには目的の挙動状態のみで電源供給がなされることを特徴とする請求項４に記載のデジタル信号受信機。
【発明の詳細な説明】
【技術分野】
【０００１】
本発明は、デジタル信号を受信する機器であり、デジタル信号の受信状況が安定状態と不安定状態とが起こりうるデジタル信号受信機器に関する。
【背景技術】
【０００２】
従来のデジタル信号受信機では、使用者がいったん受信不安定状態の場所(電波受信圏外)に移ったときに、使用者にその旨を通知するとともに、受信動作が中断される。その後に、使用者が受信安定状態の場所(電波受信圏内)に戻ったときに、使用者にその旨を通知する。
【０００３】
携帯電話であれば、使用者が通話中に、電波受信圏外に移ったときに、圏外マークを表示するとともに、通話が終了される。その後に、使用者が電波受信圏内に戻ったときには、圏外マークの表示から、受信圏内の表示に変化させる。
【特許文献１】特開平０５−２８４２２４号公報
【発明の開示】
【発明が解決しようとする課題】
【０００４】
従来のデジタル信号受信機では、使用者がいったん受信不安定状態の場所(電波受信圏外)に移ったのち、再び受信安定状態の場所(電波受信圏内)に戻ったときに、使用者にその旨を通知することにとどまっている。したがって、受信不安定状態の場所に移る前の挙動に復帰することが不可能である。使用者にとっては、受信安定状態の場所に戻ることを監視し続けることが必要であり、かつ、受信安定状態の場所に戻ったことを確認したときには、再度、元の挙動に復帰させる必要があり、使用者に対して負担となっている。
携帯電話で通話していた状態で受信圏外に移動した場合には、使用者が電波受信圏内に戻ることを、継続的に、あるいは、定期周期で、受信圏内の表示となることで監視し続ける必要がある。また、電波受信圏内に戻ったことを確認したときには、通話状態に復帰させるために、発呼する必要がある。
本発明では、使用者がいったん受信不安定状態の場所に移ったのち、再度受信安定状態の場所に戻ったときに、受信不安定状態の場所に移る前の挙動に復帰し、使用者に通知することが可能とすることを目的とする。
【課題を解決するための手段】
【０００５】
上記課題を解決するために、デジタル信号を受信し、そのデジタル信号の受信状態が安定したものであるかを検証し、安定状態から不安定状態に遷移したときに、安定状態で受信しているときの受信機実行状況を保持しておく。デジタル信号の受信状態が不安定状態から安定状態に遷移したときに、使用者に対して通知する。それと同時に、保持した安定状態で受信しているときの受信機実行状況を読み出し、デジタル信号受信を元の実行状況に復帰させる。以上により、使用者がいったん受信不安定状態の場所に移ったのち、再度受信安定状態の場所に戻ったときに、受信不安定状態の場所に移る前の挙動に復帰し、使用者に通知することが可能となる。
【発明の効果】
【０００６】
本発明のデジタル信号受信機によれば、使用者がいったん受信不安定状態の場所(電波受信圏外)に移ったのち、再度受信安定状態の場所(電波受信圏内)に戻ったときに、受信不安定状態の場所(電波受信圏外)に移る前の挙動に復帰し、使用者に通知することが可能となる。
【発明を実施するための最良の形態】
【０００７】
デジタル信号を受信し、そのデジタル信号の受信状態が安定したものであるかを検証し、安定状態から不安定状態に遷移したときに、安定状態で受信しているときの受信機実行状況を保持しておき、デジタル信号の受信状態が不安定状態から安定状態に遷移したときに、使用者に対して通知すると同時に、保持した安定状態で受信しているときの受信機実行状況を読み出し、デジタル信号受信を元の実行状況に復帰させることにより、使用者がいったん受信不安定状態の場所に移ったのち、再度受信安定状態の場所に戻ったときに、受信不安定状態の場所に移る前の挙動に復帰し、使用者に通知することを可能とする。
【実施例】
【０００８】
本願第１の発明のデジタル信号受信機に関する構成を図１を用いて説明する。
デジタル信号受信機１０１には、デジタル信号を受信する受信部１０２と、受信した信号が安定したものであるか否かを検証する信号抽出部１０３と、検出した結果の受信安定度を保持しておく受信状態管理部１０４と、受信状態が不安定状態から安定状態に遷移したときに使用者に通知する再受信通知部１０５を有している。
【０００９】
次に、先に示した図１と処理の流れを記した図２を用いて、各構成要素のつながりと処理の流れについて説明する。
本発明のデジタル信号受信機は、携帯電話や携帯型デジタル放送受信機として実現可能であると想定しており、本実施例では、携帯型デジタル放送受信機で実現したことを想定して説明する。
デジタル信号受信機１０１が携帯型デジタル放送受信機である。受信部１０２では、デジタル放送電波を受信する。信号抽出部１０３では、放送波により伝送されてくるストリームを復号し、使用者に提示可能であるかどうかを判断する。その判断の結果を、受信状態管理部１０４に保存する。受信する電波が弱くなるか何らかの障害が起こって、信号受信が不安定になったとき(電波が受信できなくなったとき)には(処理の流れ２００にあたる)、信号抽出部１０３では、信号不安定状態であると判断し、受信状態管理部１０４にその情報を保持させる。その後、継続的に受信状態を調べ(処理の流れ２０２にあたる)、受信状態が不安定状態(電波受信不可能状態)から安定状態(電波受信可能状態)に移ったと判断したときに(処理の流れ２０３)、信号抽出部１０３は、再受信通知部１０５を通じて、使用者に対して通知を行う(処理の流れ２０４にあたる)。通知の方法は任意であるが、音を鳴らして通知する方法や、受信機を振動させて通知する方法が考えられる。
なお、本実施例では、携帯型デジタル放送受信機で実現したことを想定して説明したが、携帯電話など、他のデジタル信号受信機において実現してもよい。
また、受信状態管理１０４に保存する情報は、少なくとも、受信安定状態(電波受信可能状態)と受信不安定状態(電波受信不可能状態)との２状態でよいが、受信安定状態には、受信感度に応じて、複数の状態を持ってもよい。
また、信号抽出部１０３が、再受信通知部１０５に通知することを説明したが、受信状態管理部１０４から再受信通知部１０５に対して通知しても同様に実現できる。
【００１０】
本願第２の発明のデジタル信号受信機に関する構成を図３を用いて説明する。
デジタル信号受信機３０１には、デジタル信号を受信する受信部３０２と、受信した信号が安定したものであるか否かを検証する信号抽出部３０３と、検出した結果の受信安定度を保持しておく受信状態管理部３０４と、受信状態が不安定状態から安定状態に遷移したときに使用者に通知する再受信通知部３０５と、受信状態が安定状態から不安定状態に遷移する直前の実行状況を保持する状態保存部３０６と、受信状態が不安定状態から安定状態に遷移したときに状態保存部３０６に保持されている状況に復帰させる状態復帰実行部３０７とを有している。
【００１１】
次に、先に示した図３と、処理の流れを記した図４を用いて、各構成要素のつながりと処理の流れについて説明する。
本発明のデジタル信号受信機は、携帯電話や携帯型デジタル放送受信機として実現可能であると想定しており、本実施例では、携帯型デジタル放送受信機で実現したことを想定して説明する。
デジタル信号受信機３０１が携帯型デジタル放送受信機である。受信部３０２では、デジタル放送電波を受信する。信号抽出部３０３では、放送波により伝送されてくるストリームを復号し、使用者に提示可能であるかどうかを判断する。その判断の結果を、受信状態管理部３０４に保存する。それと同時に、信号抽出部３０３が、デジタル信号受信機３０１の実行状況が変化するたびに、状態保存部３０６に状況を保持させる(処理の流れ４０５にあたる)。保持の方法は、実行状況をテーブルとして管理されており、その状況であるのかを指し示す方法など、様々な方法が考えられるが、本発明を実施するうえでは、任意の手法で構わない。受信する電波が弱くなるか何らかの障害が起こって、信号受信が不安定になったとき(電波が受信できなくなったとき)には(処理の流れ４００にあたる)、信号抽出部３０３では、信号不安定状態であると判断し、受信状態管理部３０４にその情報を保持させる。その後、継続的に受信状態を調べ(処理の流れ４０２にあたる)、受信状態が不安定状態(電波受信不可能状態)から安定状態(電波受信可能状態)に移ったと判断したときに(処理の流れ４０３にあたる)、信号抽出部３０３は、再受信通知部３０５を通じて、使用者に対して通知を行う(処理の流れ４０４にあたる)。通知の方法は任意であるが、音を鳴らして通知する方法や、受信機を振動させて通知する方法が考えられる。それと同時に、再受信通知部３０５は、状態復帰実行部３０７に対しても通知し、状態復帰実行部３０７は、状態保存部３０６に保持してある実行状況に復帰させる(処理の流れ４０６にあたる)。
なお、本実施例では、携帯型デジタル放送受信機で実現したことを想定して説明したが、携帯電話など、他のデジタル信号受信機において実現してもよい。
また、受信状態管理３０４に保存する情報は、少なくとも、受信安定状態(電波受信可能状態)と受信不安定状態(電波受信不可能状態)との２状態でよいが、受信安定状態には、受信感度に応じて、複数の状態を持ってもよい。
また、信号抽出部３０３が、再受信通知部３０５に通知することを説明したが、受信状態管理部３０４から再受信通知部３０５に対して通知しても同様に実現できる。
【００１２】
本願第３の発明のデジタル信号受信機に関する構成を図５を用いて説明する。
デジタル信号受信機５０１には、デジタル信号を受信する受信部５０２と、受信した信号が安定したものであるか否かを検証する信号抽出部５０３と、検出した結果を受信安定度を保持しておく受信状態管理部５０４と、受信状態が不安定状態から安定状態に遷移したときに使用者に通知する再受信通知部５０５と、再受信通知が必要であることを設定する操作部５０８と、操作部５０８で設定された情報を保持する通知要否フラグ５０９とを有している。
次に、先に示した図５と、処理の流れを記した図６を用いて、各構成要素のつながりと処理の流れについて説明する。
本発明のデジタル信号受信機は、携帯電話や携帯型デジタル放送受信機として実現可能であると想定しており、本実施例では、携帯型デジタル放送受信機で実現したことを想定して説明する。
デジタル信号受信機５０１が携帯型デジタル放送受信機である。受信部５０２では、デジタル放送電波を受信する。信号抽出部５０３では、放送波により伝送されてくるストリームを復号し、使用者に提示可能であるかどうかを判断する。その判断の結果を、受信状態管理部５０４に保存する。受信する電波が弱くなるか何らかの障害が起こって、信号受信が不安定になったとき(電波が受信できなくなったとき)には(処理の流れ６００にあたる)、信号抽出部５０３では、信号不安定状態であると判断し、受信状態管理部５０４にその情報を保持させる。同時に、使用者に対して操作部５０８から、再通知が必要であるか否かを入力させて、その入力情報を通知要否フラグ５０９に保持させる。その後、継続的に受信状態を調べ(処理の流れ６０２にあたる)、受信状態が不安定状態(電波受信不可能状態)から安定状態(電波受信可能状態)に移ったと判断したときに(処理の流れ６０３にあたる)、通知要否フラグ５０９の設定内容を参照し(処理の流れ６０８にあたる)、通知が必要であるという情報が保持されていたときには(処理の流れ６０９にあたる)、信号抽出部５０３は、再受信通知部５０５を通じて、使用者に対して通知を行う(処理の流れ６０４にあたる)。通知の方法は任意であるが、音を鳴らして通知する方法や、受信機を振動させて通知する方法が考えられる。
なお、本実施例では、携帯型デジタル放送受信機で実現したことを想定して説明したが、携帯電話など、他のデジタル信号受信機において実現してもよい。
また、受信状態管理５０４に保存する情報は、少なくとも、受信安定状態(電波受信可能状態)と受信不安定状態(電波受信不可能状態)との２状態でよいが、受信安定状態には、受信感度に応じて、複数の状態を持ってもよい。
また、信号抽出部５０３が、再受信通知部５０５に通知することを説明したが、受信状態管理部５０４から再受信通知部５０５に対して通知しても同様に実現できる。
また、使用者に対して操作部５０８を通じて、再通知の必要であるか否かを入力させるタイミングを、受信状態が不安定状態となったときと説明したが、他にもデジタル信号受信機５０１が起動したときなど、任意のタイミングに入力させて、通知要否フラグ５０９に保持してもよい。
また、通知要否フラグ５０９には、少なくとも、通知が必要であることと通知が不必要であることの２パターンでよいが、通知の方法に応じて、複数のパターンを持ってもよい。
【００１３】
本願第４の発明のデジタル信号受信機に関する構成を図７を用いて説明する。
デジタル信号受信機７０１には、デジタル信号を受信する受信部７０２と、受信した信号が安定したものであるか否かを検証する信号抽出部７０３と、検出した結果を受信安定度を保持しておく受信状態管理部７０４と、受信状態が不安定状態から安定状態に遷移したときに使用者に通知する再受信通知部７０５と、受信状態が安定状態から不安定状態に遷移する直前の実行状況を保持する状態保存部７０６と、受信状態が不安定状態から安定状態に遷移したときに状態保存部７０６に保持されている状況に復帰させる状態復帰実行部７０７と、受信機の電源供給を制御する電源制御部７１０とを有している。
次に、先に示した図７と、処理の流れを記した図８を用いて、各構成要素のつながりと処理の流れについて説明する。
本発明のデジタル信号受信機は、携帯電話や携帯型デジタル放送受信機として実現可能であると想定しており、本実施例では、携帯型デジタル放送受信機で実現したことを想定して説明する。
デジタル信号受信機７０１が携帯型デジタル放送受信機である。受信部７０２では、デジタル放送電波を受信する。信号抽出部７０３では、放送波により伝送されてくるストリームを復号し、使用者に提示可能であるかどうかを判断する。その判断の結果を、受信状態管理部７０４に保存する。それと同時に、信号抽出部７０３が、デジタル信号受信機７０１の実行状況が変化するたびに、状態保存部７０６に状況を保持させる(処理の流れ８０５にあたる)。保持の方法は、実行状況をテーブルとして管理されており、その状況であるのかを指し示す方法など、様々な方法が考えられるが、本発明を実施するうえでは、任意の手法で構わない。受信する電波が弱くなるか何らかの障害が起こって、信号受信が不安定になったとき(電波が受信できなくなったとき)には(処理の流れ８００にあたる)、信号抽出部７０３では、信号不安定状態であると判断し、受信状態管理部７０４にその情報を保持させる。その後、所定の時間経過後に(処理の流れ８１０にあたる)、電源制御部７１０は、デジタル信号受信機７０１の電源供給を止める(処理の流れ８１１にあたる)。その後、所定の時間経過後に(処理の流れ８１２にあたる)、電源制御部７１０は、デジタル信号受信機７０１の電源供給を開始し、信号の受信を再開する(処理の流れ８０１にあたる)。受信状態を調べ(処理の流れ８０２にあたる)、受信状態が不安定状態(電波受信不可能状態)から安定状態(電波受信可能状態)に移ったと判断したときに(処理の流れ８０３にあたる)、信号抽出部７０３は、再受信通知部７０５を通じて、使用者に対して通知を行う(処理の流れ８０４にあたる)。受信状態を調べ、受信状態が不安定状態(電波受信不可能状態)のままであると判断したときには、電源制御部７１０は、受信機の電源供給を止める。通知の方法は任意であるが、音を鳴らして通知する方法や、受信機を振動させて通知する方法が考えられる。それと同時に、再受信通知部７０５は、状態復帰実行部７０７に対しても通知し、状態復帰実行部７０７は、状態保存部７０６に保持してある実行状況に復帰させる(処理の流れ８０６にあたる)。
なお、本実施例では、携帯型デジタル放送受信機で実現したことを想定して説明したが、携帯電話など、他のデジタル信号受信機において実現してもよい。
また、受信状態管理７０４に保存する情報は、少なくとも、受信安定状態(電波受信可能状態)と受信不安定状態(電波受信不可能状態)との２状態でよいが、受信安定状態には、受信感度に応じて、複数の状態を持ってもよい。
また、信号抽出部７０３が、再受信通知部７０５に通知することを説明したが、受信状態管理部７０４から再受信通知部７０５に対して通知しても同様に実現できる。
また、電源制御部７１０は、デジタル信号受信機７０１の電源供給を止めることを説明したが、電源供給量を減らす省電力モードに移すということでもよい。
【００１４】
本願第５の発明のデジタル信号受信機に関する構成は先に示した本願第４の発明の構成と同様である。
先に示した図７と、処理の流れを記した図９を用いて、各構成要素のつながりと処理の流れについて説明する。
本発明のデジタル信号受信機は、携帯電話や携帯型デジタル放送受信機として実現可能であると想定しており、本実施例では、携帯型デジタル放送受信機で実現したことを想定して説明する。
【００１５】
デジタル信号受信機７０１が携帯型デジタル放送受信機である。受信部７０２では、デジタル放送電波を受信する。信号抽出部７０３では、放送波により伝送されてくるストリームを復号し、使用者に提示可能であるかどうかを判断する。その判断の結果を、受信状態管理部７０４に保存する。それと同時に、信号抽出部７０３が、デジタル信号受信機７０１の実行状況が変化するたびに、状態保存部７０６に状況を保持させる(処理の流れ９０５にあたる)。保持の方法は、実行状況をテーブルとして管理されており、その状況であるのかを指し示す方法など、様々な方法が考えられるが、本発明を実施するうえでは、任意の手法で構わない。受信する電波が弱くなるか何らかの障害が起こって、信号受信が不安定になったとき(電波が受信できなくなったとき)には(処理の流れ９００にあたる)、信号抽出部７０３では、信号不安定状態であると判断し、受信状態管理部７０４にその情報を保持させる。その後、所定の時間経過後に(処理の流れ９１０にあたる)、電源制御部７１０は、デジタル信号受信機７０１の電源供給を止める(処理の流れ９１１にあたる)。その後、所定の時間経過後に(処理の流れ８１２にあたる)、電源制御部７１０は、デジタル信号受信機７０１の電源供給を開始し、信号の受信を再開する(処理の流れ９０１にあたる)。受信状態を調べ(処理の流れ９０２にあたる)、受信状態が不安定状態(電波受信不可能状態)から安定状態(電波受信可能状態)に移ったと判断したときに(処理の流れ９０３にあたる)、信号抽出部７０３は、再受信通知部７０５を通じて、使用者に対して通知を行う(処理の流れ９０４にあたる)。受信状態を調べ、受信状態が不安定状態(電波受信不可能状態)のままであると判断したときには、電源制御部７１０は、受信機の電源供給を止める。通知の方法は任意であるが、音を鳴らして通知する方法や、受信機を振動させて通知する方法が考えられる。それと同時に、再受信通知部７０５は、状態復帰実行部７０７に対しても通知し、状態復帰実行部７０７は、状態保存部７０６に保持してある実行状況に復帰させることが可能であると判断できる場合には(処理の流れ９１３にあたる)、復帰させる(処理の流れ９０６にあたる)。もし、復帰させることが不可能であると判断した場合には、電源制御部７１０は、デジタル信号受信機７０１の電源供給を止める。
【００１６】
なお、本実施例では、携帯型デジタル放送受信機で実現したことを想定して説明したが、携帯電話など、他のデジタル信号受信機において実現してもよい。
また、受信状態管理７０４に保存する情報は、少なくとも、受信安定状態(電波受信可能状態)と受信不安定状態(電波受信不可能状態)との２状態でよいが、受信安定状態には、受信感度に応じて、複数の状態を持ってもよい。
また、信号抽出部７０３が、再受信通知部７０５に通知することを説明したが、受信状態管理部７０４から再受信通知部７０５に対して通知しても同様に実現できる。
また、電源制御部７１０は、デジタル信号受信機７０１の電源供給を止めることを説明したが、電源供給量を減らす省電力モードに移すということでもよい。
【産業上の利用可能性】
【００１７】
本発明にかかるデジタル信号受信機は、使用者がいったん受信不安定状態の場所(電波受信圏外)に移ったのち、再度受信安定状態の場所(電波受信圏内)に戻ったときに、受信不安定状態の場所(電波受信圏外)に移る前の挙動に復帰し、使用者に通知することが可能となる機能を有し、デジタル信号の受信状況が安定状態と不安定状態とが起こりうるデジタル信号受信機器などに有用である。
【図面の簡単な説明】
【００１８】
【図１】本願第１の発明の通知機能付きデジタル信号受信機の構成図
【図２】デジタル信号受信機の受信圏内復帰通知に対する処理の流れを示す図
【図３】本願第２の発明の処理状況復帰機能付きデジタル信号受信機の構成図
【図４】デジタル信号受信機の処理状況復帰機能に対する処理流れを示す図
【図５】本願第３の発明の通知選択機能付きデジタル信号受信機の構成図
【図６】デジタル信号受信機の受信圏内復帰通知選択に対する処理流れを示す図
【図７】本願第４の発明の電源制御機能付きデジタル信号受信機の構成図
【図８】デジタル信号受信機の電源制御と復帰機能に対する処理流れを示す図
【図９】デジタル信号受信機の電源制御と復帰選択機能に対する処理流れを示す図
【符号の説明】
【００１９】
１０１    デジタル信号受信機
１０２    受信部
１０３    信号抽出部
１０４    受信状況管理部
１０５    再受信通知部
３０１    デジタル信号受信機
３０２    受信部
３０３    信号抽出部
３０４    受信状況管理部
３０５    再受信通知部
３０６    状態保存部
３０７    状態復帰実行部
５０１    デジタル信号受信機
５０２    受信部
５０３    信号抽出部
５０４    受信状況管理部
５０５    再受信通知部
５０８    操作部
５０９    通知要否フラグ
７０１    デジタル信号受信機
７０２    受信部
７０３    信号抽出部
７０４    受信状況管理部
７０５    再受信通知部
７０６    状態保存部
７０７    状態復帰実行部
７１０    電源制御部
２００    信号受信が不安定となるトリガ
２０１    信号受信処理
２０２    受信安定度確認処理
２０３    受信状態判定
２０４    再受信通知処理
４００    信号受信が不安定となるトリガ
４０１    信号受信処理
４０２    受信安定度確認処理
４０３    受信状態判定
４０４    再受信通知処理
４０５    実行状況保存処理
４０６    実行状況復帰処理
６００    信号受信が不安定となるトリガ
６０１    信号受信処理
６０２    受信安定度確認処理
６０３    受信状態判定
６０４    再受信通知処理
６０７    再受信通知設定
６０８    再受信通知の設定確認処理
６０９    再受信通知の設定判定
８００    信号受信が不安定となるトリガ
８０１    信号受信処理
８０２    受信安定度確認処理
８０３    受信状態判定
８０４    再受信通知処理
８０５    実行状況保存処理
８０６    実行状況復帰処理
８１０    電源断への処理待ち
８１１    受信機電源供給切断処理
８１２    電源供給への処理待ち
９００    信号受信が不安定となるトリガ
９０１    信号受信処理
９０２    受信安定度確認処理
９０３    受信状態判定
９０４    再受信通知処理
９０５    実行状況保存処理
９０６    実行状況復帰処理
９１０    電源断への処理待ち
９１１    受信機電源供給切断処理
９１２    電源供給への処理待ち
９１３    復帰可能判定
【図１】
2005151216.tif 000003
【図２】
2005151216.tif 000004
【図３】
2005151216.tif 000005
【図４】
2005151216.tif 000006
【図５】
2005151216.tif 000007
【図６】
2005151216.tif 000008
【図７】
2005151216.tif 000009
【図８】
2005151216.tif 000010
【図９】
2005151216.tif 000011